(57)【要約】  本開示の第１の装着装置は、円弧形状を有する第１のバネ部材と、第１のバネ部材と一体に或いは別体に連結された第２のバネ部材であって、第１のバネ部材に対して所定の角度により、第１のバネ部材の内側に配置される第２のバネ部材と、第２のバネ部材を嵌入させて保持する保持部材であって、装着者に当接する保持部材と、を備える。これにより、頭部へのフィット感を高めながらも、装着者の頭部への負荷を軽減させることができる。
2015173996.tif 000002
【特許請求の範囲】
【請求項１】
円弧形状を有する第１のバネ部材と、
前記第１のバネ部材と一体に或いは別体に連結された第２のバネ部材であって、前記第１のバネ部材に対して所定の角度により、前記第１のバネ部材の内側に配置される第２のバネ部材と、
前記第２のバネ部材を嵌入させて保持する保持部材であって、装着者に当接する保持部材と、を備えた装着装置。
【請求項２】
前記保持部材は、一端付近にて、前記第２のバネ部材を嵌入させ、他端付近にて前記第１のバネ部材を貫通させる開口部を有する、
請求項１に記載の装着装置。
【請求項３】
前記第２のバネ部材及び前記保持部材は、装着者の左右一対の部材である、請求項１又は２に記載の装着装置。
【請求項４】
前記左右一対の部材である一方の前記保持部材には、電子機器を取り付けるための取り付け部を有する、請求項３に記載の装着装置。
【請求項５】
前記第１のバネ部材は、少なくとも第１の要素部材と第２の要素部材とから構成され、
前記第１の要素部材と前記第２の要素部材の少なくとも一方を嵌入する長さを調整する調整機構を更に備えた、請求項１から４のいずれかに記載の装着装置。
【請求項６】
前記調整機構は、押圧部材と、底面に近づくほど幅が狭い第３のバネ部材とを有し、
前記押圧部材は、前記少なくとも第１の要素部材と第２の要素部材の少なくとも一方を、前記第３のバネ部材の前記底面方向へと押圧し、前記第３のバネ部材は、当該押圧に応じて、当該押圧した第１の要素部材と第２の要素部材の少なくとも一方の要素部材の、互いに対向する一対の板厚端面を挟み込む、請求項５に記載の装着装置。
【請求項７】
第１のバネ部材と、
前記第１のバネ部材を嵌入させる長さを調整する調整機構と、を備え、
前記調整機構は、押圧部材と、底面に近づくほど幅が狭い第２のバネ部材とを有し、
前記押圧部材は、前記第１のバネ部材を、前記第２のバネ部材の前記底面方向へと押圧し、前記第２のバネ部材は、当該押圧に応じて、前記第１のバネ部材の、互いに対向する一対の板厚端面を挟み込む、装着装置。
【発明の詳細な説明】
【技術分野】
【０００１】
本開示は装着装置に関する。
【背景技術】
【０００２】
頭部等への装着装置として、例えば、特許文献１に開示のようなヘッドホン装置が知られている。近年では、小型カメラを頭部等に装着装置を介して装着した上で、スキーやサーフィンなどの活動を行って、臨場感のある映像を撮影するユーザが増えている。
【先行技術文献】
【特許文献】
【０００３】
【特許文献１】特開平２−２０３６９７号公報
【発明の概要】
【発明が解決しようとする課題】
【０００４】
本開示は、より装着性能の高い装着装置を提供することを目的とする。
【課題を解決するための手段】
【０００５】
上記課題を解決するために、本開示の第１の装着装置は、円弧形状を有する第１のバネ部材と、第１のバネ部材と一体に或いは別体に連結された第２のバネ部材であって、第１のバネ部材に対して所定の角度により、第１のバネ部材の内側に配置される第２のバネ部材と、第２のバネ部材を嵌入させて保持する保持部材であって、装着者に当接する保持部材と、を備える。【０００６】
また、本開示の第２の装着装置は、第１のバネ部材と、第１のバネ部材を嵌入させる長さを調整する調整機構と、を備える。そして、調整機構は、押圧部材と、底面に近づくほど幅が狭く、当該底面が内側に湾曲した第３のバネ部材とを有し、押圧部材は、第１のバネ部材を、第２のバネ部材の底面方向へと押圧し、第２のバネ部材は、当該押圧に応じて、第１のバネ部材の、互いに対向する一対の板厚端面を挟み込む。
【発明の効果】
【０００７】
本開示によれば、より装着性能の高い装着装置を提供できる。
【図面の簡単な説明】
【０００８】
【図１Ａ】ヘッドマウント１００の全体斜視図
【図１Ｂ】ヘッドマウント１００の別の全体斜視図
【図２】ヘッドマウント１００の分解斜視図
【図３】ヘッドアーム１３０Ｒの斜視図
【図４】パッドユニット１０５Ｒの構成を説明する図
【図５Ａ】比較的頭部幅が大きい人がヘッドマウント１００を装着したときの上方俯瞰図
【図５Ｂ】比較的頭部幅が小さい人がヘッドマウント１００を装着したときの上方俯瞰図
【図５Ｃ】仮にパッドユニット１０５がパッドスプリング１３２を有していない場合を想定したときの、ヘッドマウント１００を装着したときの上方俯瞰図
【図６】ロック時のアジャストユニット１３５の斜視図
【図７Ａ】ロック機構部品を説明する斜視図
【図７Ｂ】ロック機構部品を説明する別の斜視図
【図８Ａ】アジャストレバー１６０のアンロック時の状態遷移図
【図８Ｂ】アジャストレバー１６０のロック時の状態遷移図
【図９Ａ】アジャストスプリング２３０のアンロック時の状態遷移図
【図９Ｂ】アジャストスプリング２３０のロック時の状態遷移図
【図１０】他の実施例にかかるヘッドアーム３００の斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
（実施の形態１）
〔１．概要〕
実施の形態１では、本開示にかかる装着装置としてヘッドマウント１００を例示する。ヘッドマウント１００は、装着者の頭部に装着する装着装置である。ヘッドマウント１００は、カメラ本体１７０を取り付けることができる。これにより、装着者は、頭部にカメラ本体１７０を装着した状態となる。頭部にカメラ本体１７０を装着した状態で、スキーやサーフィンなどの活動を行うことにより、装着者の視点から見た景色に近似される映像を撮影することが可能となる。
【００１２】
一般に、ヘッドマウント１００の装着者は、例えば３０分間など、所定時間継続してヘッドマウント１００を装着し続ける。このとき、頭部へのフィット感を高めるために、装着のための押圧力を高める方法が一般にとられる。特に、スキーやサーフィンなど、装着者自身が動く場合においては、その方法が採用される。しかしながら、この方法では、長時間に渡る装着のための押圧力により、装着者の頭部に相応の負荷が蓄積されてしまうという課題がある。そこで、発明者は、この課題を解決するために、頭部へのフィット感を高めながらも、装着者の頭部への負荷を軽減させたヘッドマウント１００を発明するに至った。
【００１３】
また、装着者の頭部サイズの個人差に対応するため、ヘッドマウント１００には、装着したときの長さを調整するアジャスタ機構が備えられていることが多い。ヘッドマウント１００を所定時間継続して装着し続けた場合にアジャスタ機構が緩まってしまい、フィット感を損ねてしまう課題がある。強固なアジャスタ機構を採用すれば解決し得るが、ヘッドマウント１００の重量が増えてしまう要因や、部品点数の増加によるコスト増加或いは、デザイン性の低下の要因になり得る。そこで、発明者は、この課題を解決するために、軽量でシンプルな構成ながらも頭部へのフィット感を持続させるヘッドマウント１００を発明するに至った。
【００１４】
〔２．ヘッドマウント１００の構成〕
以下、実施の形態１にかかるヘッドマウント１００の構成の詳細について、図面を用いて説明する。
【００１５】
図１Ａ及び図１Ｂは、ヘッドマウント１００の全体斜視図である。図１Ａは、ヘッドマウント１００を左前方から見たときの全体斜視図である。図１Ｂは、ヘッドマウント１００を左後方から見たときの全体斜視図である。また、図２は、ヘッドマウント１００の分解斜視図である。
【００１６】
図１Ａ及び図１Ｂに示すように、ヘッドマウント１００は、パッドユニット１０５、ヘッドアームユニット１２５、アジャストユニット１３５を備えている。以下、ヘッドマウント１００を構成する左右一対の部材について特段の区別を要するときには、装着者の左耳側に配置される部材には「Ｌ」の符号を、装着者の右耳側に配置される部材には「Ｒ」の符号を番号の末尾に付す。
【００１７】
パッドユニット１０５は、左右一対の部材である。ヘッドマウント１００は、装着者の左耳上部に配置されるパッドユニット１０５Ｌおよび、右耳上部に当接されるパッドユニット１０５Ｒを備える。
【００１８】
図２に示すように、パッドユニット１０５Ｌは、パッドベース１１０Ｌと、パッドカバー１２０Ｌとをビス留めすることにより組み立てられる部材である。パッドベース１１０Ｌは、バッドユニット１０５Ｌの外側を構成する部材である。一方、パッドカバー１２０Ｌは、パッドユニット１０５Ｌの内側を構成する部材である。パットベース１１０Ｌは、前方孔２００Ｌと後方孔２１０Ｌの２つの開口部を有している。パットベース１１０Ｌの前方孔２００Ｌ及び後方孔２１０Ｌは、ヘッドアーム１３０Ｌを通過させるための孔である。パッドユニット１０５Ｌは、樹脂材料より形成される。パッドユニット１０５Ｒの構成は、パッドユニット１０５Ｌと同様であるため、説明を省略する。
【００１９】
パッドユニット１０５Ｌ（パッドベース１１０Ｌ、パッドカバー１２０Ｌ）は、装着者から見て左耳下部の前方に伸長する形状を有している。この形状の先端には、カメラ本体１７０を取り付けるためのカメラ取り付け機構が連結される。カメラ本体１７０は、フォーカスレンズ等の光学系や、ＣＭＯＳイメージセンサを備えており、被写体像を撮像することができる。カメラ取り付け機構は、カメラホルダー１８０、ナット１９０、ボール１９５から構成される。カメラホルダー１８０は、カメラ本体１７０を保持する。ナット１９０は、ボール１９５の球面により角度調整したカメラホルダー１８０のパッドユニット１０５Ｌに対する向きを固定するために用いられる。これにより、装着者は、カメラ本体１７０による撮影方向を調整することができる。実施の形態１にかかるヘッドマウント１００では、装着者から見て左耳下部の前方にカメラ本体１７０を装着する構成を例示しているが、この構成に限定されない。すなわち、装着者から見て左耳上部に装着してもよい。或いは、パッドユニット１０５Ｒにカメラ取り付け機構を備えて置き、装着者から見て右耳側にカメラ本体１７０を取り付けるようにしてもよい。
【００２０】
ヘッドアームユニット１２５は、ヘッドアーム１３０Ｌ及び、ヘッドアーム１３０Ｒの２つのヘッドアームから構成される部材である。ヘッドアーム１３０Ｌは、アジャストユニット１３５に嵌入されて、アジャストユニット１３５の内部で固定される。一方、ヘッドアーム１３０Ｒは、アジャストユニット１３５に嵌入されるが、後述するロック機構により、アジャストユニット１３５に嵌入される長さ（アジャストユニット１３５の内部で固定される位置）を調整することができる。これにより、ヘッドマウント１００は、装着者の頭部サイズに合わせた粗調整を行うことができる。なお、実施の形態１にかかるヘッドマウント１００では、ヘッドアーム１３０Ｒの長さを調整するように構成しているが、これに限定されない。すなわち、ヘッドアーム１３０Ｌの長さを調整するようにしてもよいし、２つのヘッドアームの両者の長さを調整するようにしてもよい。パッドユニット１０５及びヘッドアームユニット１２５によるフィット感の向上については詳細を後述する。
【００２１】
アジャストユニット１３５は、上述のとおり、装着者の頭部サイズに合わせた粗調整を行うための部材である。アジャストユニット１３５は、アジャストベース１４０と、アジャストカバー１５０とをビス留めすることにより組み立てられる部材である。アジャストユニット１３５は、アジャストレバー１６０を有しており、アジャストユニット１３５に嵌入したヘッドアーム１３０Ｒの位置をロックすることができる。このロック機構の詳細については後述する。
【００２２】
上記では、カメラ本体１７０をカメラホルダー１８０に取り付ける場合を例示したが、これに限定されない。照明ユニットや、マイクユニットなど、他のデバイスユニットを取り付けるようにしてもよい。
【００２３】
〔３．パッドユニット１０５及びヘッドアーム１２５によるフィット感の向上〕
続いて、パッドユニット１０５及び、ヘッドアーム１２５によるフィット感の向上について説明する。
【００２４】
ヘッドアームユニット１２５は、後頭部の形状に合わせて円弧状に形成された部材であって、弾性力を有するバネ部材である。ヘッドアームユニット１２５は、ヘッドアーム１３０Ｌ及びヘッドアーム１３０Ｒに２つに分割されている。これにより、人間の頭の幅の分布を考慮して、ヘッドマウント１００の長さを粗調整することができる。
【００２５】
図３は、ヘッドアーム１３０Ｒの斜視図である。ヘッドアーム１３０Ｒは、互いに対向する一対の板厚表面であって、比較的面積の大きい板厚表面と、互いに対向する一対の板厚端面であって、比較的面積の小さい板厚端面とを有する。ヘッドアーム１３０Ｌは、図３と同様の構成であるため、詳細説明を省略する。ヘッドアーム１３０Ｒは、機能面から見て、部位を分けて考えることができる。ヘッドアーム１３０Ｒは、円弧状に形成されたバネ部材を、折り曲げ点１３３Ｒで滑らかに折り曲げて形成されている。折り曲げ点１３３Ｒを起点に長く折り曲げられた部位を、ヘッドスプリング１３１Ｒと呼ぶことにする。一方、折り曲げ点１３３Ｒを起点に短く折り曲げられた部位を、パッドスプリング１３２Ｒと呼ぶことにする。パッドスプリング１３２Ｒの長さ及び、パッドスプリング１３２Ｒのヘッドスプリング１３１Ｒに対する初期角度は、パッドスプリング１３２Ｒによる装着者の頭部への側圧が発生したときに、より均等な面側圧となるように設計するとよい。
【００２６】
ヘッドアーム１３０の材料としては、屋外使用を考慮して、耐錆性能の高いことを志向するのであれば、ステンレス材料を用いるとよい。一方、形状復元性の高さを志向するのであれば、バネ鋼材料を用いるとよい。
【００２７】
図４は、パッドユニット１０５Ｒの構成を説明する図である。パッドユニット１０５Ｌは、図４と同様の構成であるため、詳細説明を省略する。図４に示すように、パッドスプリング１３２Ｒは、パッドユニット１０５Ｒの前方孔２００Ｒからパッドユニット１０５Ｒに嵌入され、パッドユニット１０５Ｒの内面に沿って配置される。図４に示す二点鎖線は、パッドユニット１０５Ｒに嵌入されていない場合のパッドスプリング１３２Ｒの位置を示す。パッドスプリング１３２Ｒは、パッドユニット１０５Ｒに嵌入されることにより、装着者の頭部方向へと復帰するよう付勢力をもつ。
【００２８】
折り曲げ点１３３Ｒを起点に伸長したヘッドスプリング１３１Ｒは、パッドユニット１０５Ｒの後方孔２１０Ｒを貫通して配置される。装着者の頭部サイズや形状に応じて、ヘッドスプリング１３１Ｒが、後方孔２１０Ｒを貫通する位置が変わる。ヘッドスプリング１３１Ｒの後方孔２１０Ｒを貫通する位置が変わることに応じて、パッドスプリング１３２Ｒが、装着者の頭部方向へと復帰しようとする付勢力が変化する。後方孔２１０Ｒは必須の構成ではない。但し、後方孔２１０Ｒによれば、ヘッドアーム１３０Ｒの可動範囲に制約を持たせることができ、過度に付勢されることを防ぐことができる。
【００２９】
続いて、ヘッドマウント１００を装着したときの、フィット感向上について説明する。図５Ａ、図５Ｂ及び図５Ｃは、ヘッドマウント１００を装着したときの上方俯瞰図である。
【００３０】
図５Ａは、比較的頭部幅が大きい人が、ヘッドマウント１００を装着したときの上方俯瞰図である。比較的頭部幅が大きい人がヘッドマウント１００を装着すると、ヘッドアーム１３０のヘッドスプリング１３１は、その頭部の大きさに応じて円弧形状を拡げて湾曲する。このとき、パッドスプリング１３２が装着者の頭部方向へ復帰しようする付勢力によって、パッドユニット１０５が装着者の頭部側面へと密着する。このとき、パッドユニット１０５は、内側の面積の大凡全体を使って装着者の頭部へと密着する。これにより、押圧力が分散し、装着者への負担を軽減させることができる。
【００３１】
図５Ｂは、比較的頭部幅が小さい人が、ヘッドマウント１００を装着したときの上方俯瞰図である。比較的頭部幅が小さい人がヘッドマウント１００を装着すると、ヘッドアーム１３０のヘッドスプリング１３１は、比較的頭部幅が大きい人と比べて変化量は小さくはなるが、その頭部幅の大きさに応じて円弧形状を拡げて湾曲する。このときにおいても、パッドスプリング１３２が装着者の頭部方向へ復帰しようする付勢力によって、パッドユニット１０５が装着者の頭部側面へと密着する。このときも、パッドユニット１０５は、内側の面積の大凡全体を使って装着者の頭部へと密着する。これにより、押圧力が分散し、装着者への負担を軽減させることができる。
【００３２】
図５Ｃは、仮に、パッドユニット１０５がパッドスプリング１３２を有していない場合を想定したときの、上方俯瞰図である。このとき、パッドスプリング１３２が装着者の頭部方向へ復帰しようする付勢力が存在しないため、パッドユニット１０５は、内側の面積の大凡全体を使ってではなく、ヘッドスプリング１３１の端部の大凡一点により装着者の頭部を締め付けることになる。ヘッドスプリング１３１の端部が当接する頭部の一点に押圧力が集中することになり、装着者への負担が発生することになる。
【００３３】
以上のように、ヘッドマウント１００は、装着者の頭部に対して、ヘッドスプリング１３１による側圧に加えて、パッドスプリング１３２からの側圧を加える。ヘッドスプリング１３１の側圧は、装着者の頭の幅（サイズ）に応じて定まる。一方、パッドスプリング１３２の側圧は、装着者の頭の形状に応じて定まる。これにより、装着者の頭部（幅および形状）に応じて、パッドユニット１０５を追従させることができる。その結果、一点ではなくて、面で押圧を与えるので、装着者への負担を軽減することができる。また、装着者の頭部の幅の分布に対応して、密着性の高いヘッドマウント１００を提供することができる。
【００３４】
なお、上記ではヘッドアームユニット１２５を、ヘッドアーム１３０Ｌ及びヘッドアーム１３０Ｒに２つに分割したが、これに限定されない。すなわち、ヘッドアームユニット１２５を分割しなくてもよい。ヘッドアームユニット１２５を２つに分割しなくても、ヘッドスプリング１３１による側圧に加えて、パッドスプリング１３２からの側圧により、同様にフィット感は得られる。但し、ヘッドアームユニット１２５を２つに分割することにより、人間の頭の幅の分布をより考慮し、より多くの人に利用可能なヘッドマウント１００とすることができる。
【００３５】
〔４．ヘッドアーム１３０のロック機構〕
続いて、ヘッドアーム１３０Ｒのロック機構について説明する。ヘッドアーム１３０Ｒがアジャストユニット１３５に嵌入される長さ（アジャストユニット１３５の内部で固定される位置）は、アジャストユニット１３５に備えられたロック機構により、調整される。図６は、ロック時のアジャストユニット１３５を装着者の後方から見たときの斜視図である。また、図７Ａ及び図７Ｂは、アジャストユニット１３５からアジャストベース１４０を取り外したときに露出するロック機構部品を説明する斜視図である。図７Ａは、外側から見たロック機構部品を説明する斜視図である。図７Ｂは、内側から見たロック機構部品を説明する斜視図である。
【００３６】
図６、図７Ａ及び図７Ｂに示すように、アジャストユニット１３５は、アジャストレバー１６０、アジャストスプリング２３０、アジャストピン２２０を備えている。
【００３７】
アジャストレバー１６０は、カム形状２２１を有するレバーである。アジャストレバー１６０は、樹脂材料により形成される。アジャストレバー１６０に形成されたカム形状２２１の付近には、アジャストピン２２０を貫入するための貫通した開口孔が形成されている。アジャストスプリング２３０は、底面が内側に円弧状に湾曲したコの字形状を有するバネ部材である。アジャストスプリング２３０は、ヘッドアーム１３０と同様に、ステンレス材料から形成される。アジャストスプリング２３０のコの字形状の両端付近には、アジャストピン２２０を貫入させる一対の開口孔が形成されている。アジャストピン２２０は、アジャストレバー１６０の開口孔及び、アジャストスプリング２３０のこの一対の開口孔に貫入される。これにより、アジャストレバー１６０は、アジャストスプリング２３０に対して、アジャストピン２２０を支点として回動することができる。アジャストレバー１６０は、回動することにより、ヘッドアーム１３０Ｒに対して起立した状態（アンロック状態）と、ヘッドアーム１３０Ｒに沿って伏した状態（ロック状態）とを取ることができる。
【００３８】
図８Ａ及び図８Ｂは、アジャストレバー１６０の状態遷移図である。図８Ａは、アンロック時におけるアジャストレバー１６０の状態遷移図である。図８Ｂは、ロック時におけるアジャストレバー１６０の状態遷移図である。
【００３９】
図８Ａに示すように、アンロック時において、アジャストレバー１６０は、ヘッドアーム１３０Ｒに対して起立した状態となる。このとき、アジャストレバー１６０に形成されたカム形状２２１は、ヘッドアーム１３０Ｒに当接しない位置となる。図８Ａに示す状態から、アジャストレバー１６０を傾倒させていくと、やがてアジャストレバー１６０に形成されたカム形状２２１がヘッドアーム１３０Ｒに当接する。アジャストレバー１６０を更に傾倒させていくと、梃子の作用により、カム形状２２１がヘッドアーム１３０Ｒをアジャストスプリング２３０の底面方向へと押圧して、図８Ｂに示すような状態となる。
【００４０】
一方、図８Ｂに示す状態から、アジャストレバー１６０を起立させていくと、カム形状２２１のヘッドアーム１３０Ｒに対するアジャストスプリング２３０の底面方向への押圧力が減衰し、やがて当接しない状態となる。アジャストレバー１６０を更に起立させていくと、図８Ａに示すような状態となる。
【００４１】
アジャストユニット１３５に備えられたロック機構は、ヘッドアーム１３０Ｒをアジャストスプリング２３０の底面方向へと押圧し、アジャストスプリング２３０のコの字形状でヘッドアーム１３０Ｒの互いに対向する一対の板厚端面を強く挟みこむようにしている。
【００４２】
図９Ａ及び図９Ｂは、ヘッドアーム１３０Ｒがアジャストスプリング２３０の底面方向へと押圧されたときのアジャストスプリング２３０の状態遷移図である。図９Ａは、アンロック時におけるアジャストスプリング２３０の状態遷移図である。一方、図９Ｂは、ロック時におけるアジャストスプリング２３０の状態遷移図である。図９Ａ及び図９Ｂは、アジャストスプリング２３０を垂直な方向に切断したときの断面を示している。
【００４３】
図９Ａ及び図９Ｂに示すように、アジャストスプリング２３０は、内側に円弧状に湾曲した底面と、底面に連続する側面とを有している。アジャストスプリング２３０の側面は、（１）位置Ｐ１から位置Ｐ２、（２）位置Ｐ２から位置Ｐ３、（３）位置Ｐ３から位置Ｐ４で、形状が異なる。位置Ｐ１から位置Ｐ２において、アジャストスプリング２３０の側面は、コの字の空いた方向に行くに従って幅が広がるテーパ形状を有している。この形状は必須ではないが、この形状を取ることで、ヘッドマウント１００の製造工程にて、アジャストスプリング２３０へのアジャストレバー１６０の取り付けが容易になる。次に、位置Ｐ２から位置Ｐ３において、アジャストスプリング２３０の側面は、垂直方向に直進した形状を有している。これにより、アジャストピン２２０のアジャストスプリング２３０への取り付け工程が容易となる。また、位置Ｐ２から位置Ｐ３のおけるアジャストスプリング２３０の幅は、ヘッドアーム１３０Ｒの幅に対して少し余裕があるように形成されている。これにより、ヘッドアーム１３０Ｒは、位置Ｐ２から位置Ｐ３の間に位置するときにおいては、アジャストスプリング２３０内で自由度をもって動くことができる。次に、位置Ｐ３から位置Ｐ４においては、アジャストスプリング２３０の側面は、アジャストスプリング２３０の底面に近づくにつれて幅が狭まるテーパ形状を有している。位置Ｐ３から位置Ｐ４におけるアジャストスプリング２３０の幅は、底面に近づくにつれて、ヘッドアーム１３０Ｒの幅よりも狭くなるように形成されている。なお、アジャストスプリング２３０の側面は、全体が底面に近づくにつれて幅の狭くなるテーパ形状としてもよいが、製造工程においてアジャストピン２２０の取り付け容易のため、アジャストピン２２０の軸方向に対して垂直にすることが望ましい。
【００４４】
続いて、アンロック時とロック時との状態遷移について説明する。図９Ａに示すように、アンロック時においては、ヘッドアーム１３０Ｒは、アジャストレバー１６０によりアジャストスプリング２３０の底面方向へと押圧されていないため、ヘッドアーム１３０Ｒは、アジャストスプリング２３０の位置Ｐ２から位置Ｐ３の間に対応する位置にある。このとき、ヘッドアーム１３０Ｒの幅は、アジャストスプリング２３０の幅に対して余裕がある。そのため、装着者は、ヘッドアーム１３０Ｒがアジャストスプリング２３０に嵌入される長さ（アジャストスプリング２３０の内部で固定される位置）を調整することができる。
【００４５】
一方、図９Ｂに示すように、ロック時においては、アジャストレバー１６０の押圧によりヘッドアーム１３０Ｒがアジャストスプリング２３０内で押し下げられる。このとき、ヘッドアーム１３０Ｒの板厚端面部は、アジャストスプリング２３０の側面に形成されたテーパ形状に当接する。このとき、ヘッドアーム１３０Ｒがアジャストスプリング内で押し下げられたのに応じて、アジャストスプリング２３０の底面の湾曲形状が弾性力を作用させる。この弾性力によりアジャストスプリング２３０の側面の位置Ｐ３から位置Ｐ４におけるテーパ形状の幅が広がる。テーパ形状の幅が広がるのに応じて、アジャストスプリング２３０の側面からヘッドアーム１３０Ｒの板厚端面部への付勢力が強まっていく。この付勢力により、ヘッドアーム１３０Ｒを押し上げる方向に力が発生するが、アジャストレバー１６０がヘッドアーム１３０Ｒの直上に固定されて存在しているために、ヘッドアーム１３０Ｒが上方に逃げることはできず、ヘッドアーム１３０Ｒの板厚端面部を固定することができる。
【００４６】
アジャストレバー１６０を再びアンロックにすると、アジャストレバー１６０が存在していた空間が空くため、ヘッドアーム１３０Ｒを押し上げる方向に発生している力が解放される。これにより、ヘッドアーム１３０Ｒがアジャストスプリング２３０内の上方に逃げることができるようになり、ヘッドアーム１３０Ｒの板厚端面部の固定を解除することができる。
【００４７】
ヘッドアーム１３０Ｒは、互いに対向する一対の板厚表面であって、比較的面積の大きい板厚表面と、互いに対向する一対の板厚端面であって、比較的面積の小さい板厚端面とを有する。このとき、同じ付勢負荷をかけたときに、比較的面積の小さい板厚端面に対して掛かる圧力は、比較的面積の大きい板厚表面に対して掛かる圧力よりも大きくなる。従って、ヘッドアーム１３０Ｒの板厚端面にて固定することにより、より小さな付勢負荷であっても、より固定性能高くヘッドアーム１３０Ｒを固定することが可能となる。
【００４８】
以上説明してきたように、実施の形態１にかかるヘッドマウント１００によれば、頭部へのフィット感を高めながらも、装着者の頭部への負荷を軽減させることができる。また、軽量でシンプルな構成ながらも頭部へのフィット感を持続させることができる。よって、より装着性能の高いヘッドマウント１００を提供できる。
【００４９】
〔５．他の実施例〕
以上のように、本出願において開示する技術の例示として、実施の形態１を説明した。しかしながら、本開示における技術は、これに限定されず、適宜、変更、置き換え、付加、省略などを行った実施の形態にも適用可能である。
【００５０】
例えば、上記実施の形態１では、図３に示したように、ヘッドアーム１３０Ｒにおいて、ヘッドスプリング１３１Ｒと、パッドスプリング１３２Ｒとを一体物であるとしたが、これに限定されない。すなわち、ヘッドスプリング１３１Ｒと、パッドスプリング１３２Ｒとは、別体であってもよい。ヘッドアーム１３０Ｌについても同様である。図１０は、他の実施例にかかるヘッドアーム３００の斜視図である。図１０の例は、他の実施例にかかるヘッドスプリング３０１の端部と、他の実施例にかかるパッドスプリング３０２の端部とを他の実施例にかかるカシメ３０３により一体的に構成させた例である。他の実施例にかかるヘッドスプリング３０１の端部と他の実施例にかかるパッドスプリング３０２の端部とを連結する方法としては、カシメによるではなく、係合形状が係り合うことによる組み付けであってもよい。
【００５１】
また、上記の実施の形態１では、ヘッドアーム１３０は円弧状であるとしたが、これに限定されない。ヘッドアーム１３０の少なくともアジャストユニット１３５に内包される部位については、円弧状ではなく、直線状に構成してもよい。これにより、ヘッドアーム１３０の長さを調整したときに、装着者の頭の幅（サイズ）によらず、装着者の好みにより側圧を調整する自由度を与えることができる。
【００５２】
また、実施の形態１では、カメラ本体を取り付けることができるヘッドマウントについて説明したが、ヘッドホンに適用することも可能である。ヘッドホンに適用する場合、例えば、パッドユニット１０５Ｌの一部が下方に伸長する形状を有し、その先端に左耳を覆うハウジングを設け，パッドユニット１０５Ｒの一部が下方に伸長する形状を有し、その先端に右耳を覆うハウジングを設けた構成となっている。各ハウジングの内側には音を耳に伝達するためのスピーカを備えている。
【００５３】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施の形態は、本開示における技術を例示するためのものであるから、請求の範囲またはその均等の範囲において種々の変更、置き換え、付加、省略などを行うことができる。
【００５５】
〔６．実施の形態等のまとめ〕
以上のように構成された実施の形態等は以下の本開示の要旨を有する。なお、括弧内は対応する部材又は素子の符号を示す。
【００５６】
本開示の第１の態様に係る装着装置は、
円弧形状を有する第１のバネ部材（１３１Ｒ，１３１Ｌ，３０１）と、
前記第１のバネ部材（１３１Ｒ，１３１Ｌ，３０１）と一体に或いは別体に連結された第２のバネ部材（１３２Ｒ，１３２Ｌ，３０２）であって、前記第１のバネ部材（１３１Ｒ，１３１Ｌ，３０１）に対して所定の角度により、前記第１のバネ部材（１３１Ｒ，１３１Ｌ，３０１）の内側に配置される第２のバネ部材（１３２Ｒ，１３２Ｌ，３０２）と、
前記第２のバネ部材（１３２Ｒ，１３２Ｌ，３０２）を嵌入させて保持する保持部材（１０５Ｒ，１０５Ｌ）であって、装着者に当接する保持部材（１０５Ｒ，１０５Ｌ）と、を備えた。
【００５７】
本開示の第２の態様に係る装着装置は、第１の態様に係る装着装置において、前記保持部材（１０５Ｒ，１０５Ｌ）は、一端付近にて、前記第２のバネ部材（１３２Ｒ，１３２Ｌ，３０２）を嵌入させ、他端付近にて前記第１のバネ部材（１０５Ｒ，１０５Ｌ）を貫通させる開口部を有する。
【００５８】
本開示の第３の態様に係る装着装置は、第１又は第２の態様に係る装着装置において、前記第２のバネ部材（１３２Ｒ，１３２Ｌ，３０２）及び前記保持部材（１０５Ｒ，１０５Ｌ）は、装着者の左右一対の部材である。
【００５９】
本開示の第４の態様に係る装着装置は、第３の態様に係る装着装置において、前記左右一対の部材である一方の前記保持部材（１０５Ｒ，１０５Ｌ）には、電子機器を取り付けるための取り付け部（１８０）を有する。
【００６０】
本開示の第５の態様に係る装着装置は、第１から４のいずれかの態様に係る装着装置において、前記第１のバネ部材（１３１Ｒ，１３１Ｌ）は、少なくとも第１の要素部材（１３１Ｒ）と第２の要素部材（１３１Ｌ）とから構成され、前記第１の要素部材（１３１Ｒ）と前記第２の要素部材（１３１Ｌ）の少なくとも一方を嵌入する長さを調整する調整機構（１３５）を更に備えた。
【００６１】
本開示の第６の態様に係る装着装置は、第５の態様に係る装着装置において、前記調整機構（１３５）は、押圧部材（１６０）と、底面に近づくほど幅が狭い第３のバネ部材（２３０）とを有し、
前記押圧部材（１６０）は、前記少なくとも第１の要素部材（１３１Ｒ，１３０Ｒ）と第２の要素部材（１３１Ｌ，１３０Ｌ）の少なくとも一方を、前記第３のバネ部材（２３０）の前記底面方向へと押圧し、前記第３のバネ部材（２３０）は、当該押圧に応じて、当該押圧した第１の要素部材（１３１Ｒ，１３０Ｒ）と第２の要素部材（１３１Ｌ，１３０Ｌ）の少なくとも一方の要素部材の、互いに対向する一対の板厚端面を挟み込む。
【００６２】
本開示の第７の態様に係る装着装置は、
第１のバネ部材（１３０Ｒ）と、
前記第１のバネ部材を嵌入させる長さを調整する調整機構（１３５）と、を備え、
前記調整機構（１３５）は、押圧部材（１６０）と、底面に近づくほど幅が狭い第２のバネ部材（２３０）とを有し、
前記押圧部材（１６０）は、前記第１のバネ部材（１３０Ｒ）を、前記第２のバネ部材（２３０）の前記底面方向へと押圧し、前記第２のバネ部材（２３０）は、当該押圧に応じて、前記第１のバネ部材（１３０Ｒ）の、互いに対向する一対の板厚端面を挟み込む。
【産業上の利用可能性】
【００６３】
本開示は、頭部に装着するヘッドマウント１００への適用に限定されず、ヘッドホン等、他の頭部装着機器、および、腕や手首など、身体の他の部位に装着する装着装置にも適用できる。
【符号の説明】
【００６４】
１００  ヘッドマウント
１０５  パッドユニット（１０５Ｌ、１０５Ｒ）
１１０  パッドベース（１１０Ｌ、１１０Ｒ）
１２０  パッドカバー（１２０Ｌ、１２０Ｒ）
１２５  ヘッドアームユニット
１３０  ヘッドアーム（１３０Ｌ、１３０Ｒ）
１３１  ヘッドスプリング（１３１Ｌ、１３１Ｒ）
１３２  パッドスプリング（１３２Ｌ、１３２Ｒ）
１３３  折り曲げ点（１３３Ｌ、１３３Ｒ）
１３５  アジャストユニット
１４０  アジャストベース
１５０  アジャストカバー
１６０  アジャストレバー
１７０  カメラ本体
１８０  カメラホルダー
１９０  ナット
１９５  ボール
２００  前方孔（２００Ｌ、２００Ｒ）
２１０  後方孔（２１０Ｌ、２１０Ｒ）
２２０  アジャストピン
２３０  アジャストスプリング
３００  他の実施例にかかるヘッドアーム
３０１  他の実施例にかかるヘッドスプリング
３０２  他の実施例にかかるパッドスプリング
３０３  他の実施例にかかるカシメ
【図１Ａ】
2015173996.tif 000003
【図１Ｂ】
2015173996.tif 000004
【図２】
2015173996.tif 000005
【図３】
2015173996.tif 000006
【図４】
2015173996.tif 000007
【図５Ａ】
2015173996.tif 000008
【図５Ｂ】
2015173996.tif 000009
【図５Ｃ】
2015173996.tif 000010
【図６】
2015173996.tif 000011
【図７Ａ】
2015173996.tif 000012
【図７Ｂ】
2015173996.tif 000013
【図８Ａ】
2015173996.tif 000014
【図８Ｂ】
2015173996.tif 000015
【図９Ａ】
2015173996.tif 000016
【図９Ｂ】
2015173996.tif 000017
【図１０】
2015173996.tif 000018
【手続補正書】
【提出日】平成28年11月1日(2016.11.1)
【手続補正１】
【補正対象書類名】明細書
【補正対象項目名】全文
【補正方法】変更
【補正の内容】
【発明の詳細な説明】
【技術分野】
【０００１】
本開示は装着装置に関する。
【背景技術】
【０００２】
頭部等への装着装置として、例えば、特許文献１に開示のようなヘッドホン装置が知られている。近年では、小型カメラを頭部等に装着装置を介して装着した上で、スキーやサーフィンなどの活動を行って、臨場感のある映像を撮影するユーザが増えている。
【先行技術文献】
【特許文献】
【０００３】
【特許文献１】特開平２−２０３６９７号公報
【発明の概要】
【発明が解決しようとする課題】
【０００４】
本開示は、より装着性能の高い装着装置を提供することを目的とする。
【課題を解決するための手段】
【０００５】
上記課題を解決するために、本開示の第１の装着装置は、円弧形状を有する第１のバネ部材と、第１のバネ部材と一体に或いは別体に連結された第２のバネ部材であって、第１のバネ部材に対して所定の角度により、第１のバネ部材の内側に配置される第２のバネ部材と、第２のバネ部材を嵌入させて保持する保持部材であって、装着者に当接する保持部材と、を備える。
【０００６】
また、本開示の第２の装着装置は、第１のバネ部材と、第１のバネ部材を嵌入させる長さを調整する調整機構と、を備える。そして、調整機構は、押圧部材と、底面に近づくほど幅が狭く、当該底面が内側に湾曲した第３のバネ部材とを有し、押圧部材は、第１のバネ部材を、第２のバネ部材の底面方向へと押圧し、第２のバネ部材は、当該押圧に応じて、第１のバネ部材の、互いに対向する一対の板厚端面を挟み込む。
【発明の効果】
【０００７】
本開示によれば、より装着性能の高い装着装置を提供できる。
【図面の簡単な説明】
【０００８】
【図１Ａ】ヘッドマウント１００の全体斜視図
【図１Ｂ】ヘッドマウント１００の別の全体斜視図
【図２】ヘッドマウント１００の分解斜視図
【図３】ヘッドアーム１３０Ｒの斜視図
【図４】パッドユニット１０５Ｒの構成を説明する図
【図５Ａ】比較的頭部幅が大きい人がヘッドマウント１００を装着したときの上方俯瞰図
【図５Ｂ】比較的頭部幅が小さい人がヘッドマウント１００を装着したときの上方俯瞰図
【図５Ｃ】仮にパッドユニット１０５がパッドスプリング１３２を有していない場合を想定したときの、ヘッドマウント１００を装着したときの上方俯瞰図
【図６】ロック時のアジャストユニット１３５の斜視図
【図７Ａ】ロック機構部品を説明する斜視図
【図７Ｂ】ロック機構部品を説明する別の斜視図
【図８Ａ】アジャストレバー１６０のアンロック時の状態遷移図
【図８Ｂ】アジャストレバー１６０のロック時の状態遷移図
【図９Ａ】アジャストスプリング２３０のアンロック時の状態遷移図
【図９Ｂ】アジャストスプリング２３０のロック時の状態遷移図
【図１０】他の実施例にかかるヘッドアーム３００の斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
（実施の形態１）
〔１．概要〕
実施の形態１では、本開示にかかる装着装置としてヘッドマウント１００を例示する。ヘッドマウント１００は、装着者の頭部に装着する装着装置である。ヘッドマウント１００は、カメラ本体１７０を取り付けることができる。これにより、装着者は、頭部にカメラ本体１７０を装着した状態となる。頭部にカメラ本体１７０を装着した状態で、スキーやサーフィンなどの活動を行うことにより、装着者の視点から見た景色に近似される映像を撮影することが可能となる。
【００１２】
一般に、ヘッドマウント１００の装着者は、例えば３０分間など、所定時間継続してヘッドマウント１００を装着し続ける。このとき、頭部へのフィット感を高めるために、装着のための押圧力を高める方法が一般にとられる。特に、スキーやサーフィンなど、装着者自身が動く場合においては、その方法が採用される。しかしながら、この方法では、長時間に渡る装着のための押圧力により、装着者の頭部に相応の負荷が蓄積されてしまうという課題がある。そこで、発明者は、この課題を解決するために、頭部へのフィット感を高めながらも、装着者の頭部への負荷を軽減させたヘッドマウント１００を発明するに至った。
【００１３】
また、装着者の頭部サイズの個人差に対応するため、ヘッドマウント１００には、装着したときの長さを調整するアジャスタ機構が備えられていることが多い。ヘッドマウント１００を所定時間継続して装着し続けた場合にアジャスタ機構が緩まってしまい、フィット感を損ねてしまう課題がある。強固なアジャスタ機構を採用すれば解決し得るが、ヘッドマウント１００の重量が増えてしまう要因や、部品点数の増加によるコスト増加或いは、デザイン性の低下の要因になり得る。そこで、発明者は、この課題を解決するために、軽量でシンプルな構成ながらも頭部へのフィット感を持続させるヘッドマウント１００を発明するに至った。
【００１４】
〔２．ヘッドマウント１００の構成〕
以下、実施の形態１にかかるヘッドマウント１００の構成の詳細について、図面を用いて説明する。
【００１５】
図１Ａ及び図１Ｂは、ヘッドマウント１００の全体斜視図である。図１Ａは、ヘッドマウント１００を左前方から見たときの全体斜視図である。図１Ｂは、ヘッドマウント１００を左後方から見たときの全体斜視図である。また、図２は、ヘッドマウント１００の分解斜視図である。
【００１６】
図１Ａ及び図１Ｂに示すように、ヘッドマウント１００は、パッドユニット１０５、ヘッドアームユニット１２５、アジャストユニット１３５を備えている。以下、ヘッドマウント１００を構成する左右一対の部材について特段の区別を要するときには、装着者の左耳側に配置される部材には「Ｌ」の符号を、装着者の右耳側に配置される部材には「Ｒ」の符号を番号の末尾に付す。
【００１７】
パッドユニット１０５は、左右一対の部材である。ヘッドマウント１００は、装着者の左耳上部に配置されるパッドユニット１０５Ｌおよび、右耳上部に当接されるパッドユニット１０５Ｒを備える。
【００１８】
図２に示すように、パッドユニット１０５Ｌは、パッドベース１１０Ｌと、パッドカバー１２０Ｌとをビス留めすることにより組み立てられる部材である。パッドベース１１０Ｌは、パッドユニット１０５Ｌの外側を構成する部材である。一方、パッドカバー１２０Ｌは、パッドユニット１０５Ｌの内側を構成する部材である。パットベース１１０Ｌは、前方孔２００Ｌと後方孔２１０Ｌの２つの開口部を有している。パットベース１１０Ｌの前方孔２００Ｌ及び後方孔２１０Ｌは、ヘッドアーム１３０Ｌを通過させるための孔である。パッドユニット１０５Ｌは、樹脂材料より形成される。パッドユニット１０５Ｒの構成は、パッドユニット１０５Ｌと同様であるため、説明を省略する。
【００１９】
パッドユニット１０５Ｌ（パッドベース１１０Ｌ、パッドカバー１２０Ｌ）は、装着者から見て左耳下部の前方に伸長する形状を有している。この形状の先端には、カメラ本体１７０を取り付けるためのカメラ取り付け機構が連結される。カメラ本体１７０は、フォーカスレンズ等の光学系や、ＣＭＯＳイメージセンサを備えており、被写体像を撮像することができる。カメラ取り付け機構は、カメラホルダー１８０、ナット１９０、ボール１９５から構成される。カメラホルダー１８０は、カメラ本体１７０を保持する。ナット１９０は、ボール１９５の球面により角度調整したカメラホルダー１８０のパッドユニット１０５Ｌに対する向きを固定するために用いられる。これにより、装着者は、カメラ本体１７０による撮影方向を調整することができる。実施の形態１にかかるヘッドマウント１００では、装着者から見て左耳下部の前方にカメラ本体１７０を装着する構成を例示しているが、この構成に限定されない。すなわち、装着者から見て左耳上部に装着してもよい。或いは、パッドユニット１０５Ｒにカメラ取り付け機構を備えて置き、装着者から見て右耳側にカメラ本体１７０を取り付けるようにしてもよい。
【００２０】
ヘッドアームユニット１２５は、ヘッドアーム１３０Ｌ及び、ヘッドアーム１３０Ｒの２つのヘッドアームから構成される部材である。ヘッドアーム１３０Ｌは、アジャストユニット１３５に嵌入されて、アジャストユニット１３５の内部で固定される。一方、ヘッドアーム１３０Ｒは、アジャストユニット１３５に嵌入されるが、後述するロック機構により、アジャストユニット１３５に嵌入される長さ（アジャストユニット１３５の内部で固定される位置）を調整することができる。これにより、ヘッドマウント１００は、装着者の頭部サイズに合わせた粗調整を行うことができる。なお、実施の形態１にかかるヘッドマウント１００では、ヘッドアーム１３０Ｒの長さを調整するように構成しているが、これに限定されない。すなわち、ヘッドアーム１３０Ｌの長さを調整するようにしてもよいし、２つのヘッドアームの両者の長さを調整するようにしてもよい。パッドユニット１０５及びヘッドアームユニット１２５によるフィット感の向上については詳細を後述する。
【００２１】
アジャストユニット１３５は、上述のとおり、装着者の頭部サイズに合わせた粗調整を行うための部材である。アジャストユニット１３５は、アジャストベース１４０と、アジャストカバー１５０とをビス留めすることにより組み立てられる部材である。アジャストユニット１３５は、アジャストレバー１６０を有しており、アジャストユニット１３５に嵌入したヘッドアーム１３０Ｒの位置をロックすることができる。このロック機構の詳細については後述する。
【００２２】
上記では、カメラ本体１７０をカメラホルダー１８０に取り付ける場合を例示したが、これに限定されない。照明ユニットや、マイクユニットなど、他のデバイスユニットを取り付けるようにしてもよい。
【００２３】
〔３．パッドユニット１０５及びヘッドアーム１２５によるフィット感の向上〕
続いて、パッドユニット１０５及び、ヘッドアーム１２５によるフィット感の向上について説明する。
【００２４】
ヘッドアームユニット１２５は、後頭部の形状に合わせて円弧状に形成された部材であって、弾性力を有するバネ部材である。ヘッドアームユニット１２５は、ヘッドアーム１３０Ｌ及びヘッドアーム１３０Ｒに２つに分割されている。これにより、人間の頭の幅の分布を考慮して、ヘッドマウント１００の長さを粗調整することができる。
【００２５】
図３は、ヘッドアーム１３０Ｒの斜視図である。ヘッドアーム１３０Ｒは、互いに対向する一対の板厚表面であって、比較的面積の大きい板厚表面と、互いに対向する一対の板厚端面であって、比較的面積の小さい板厚端面とを有する。ヘッドアーム１３０Ｌは、図３と同様の構成であるため、詳細説明を省略する。ヘッドアーム１３０Ｒは、機能面から見て、部位を分けて考えることができる。ヘッドアーム１３０Ｒは、円弧状に形成されたバネ部材を、折り曲げ点１３３Ｒで滑らかに折り曲げて形成されている。折り曲げ点１３３Ｒを起点に長く折り曲げられた部位を、ヘッドスプリング１３１Ｒと呼ぶことにする。一方、折り曲げ点１３３Ｒを起点に短く折り曲げられた部位を、パッドスプリング１３２Ｒと呼ぶことにする。パッドスプリング１３２Ｒの長さ及び、パッドスプリング１３２Ｒのヘッドスプリング１３１Ｒに対する初期角度は、パッドスプリング１３２Ｒによる装着者の頭部への側圧が発生したときに、より均等な面側圧となるように設計するとよい。
【００２６】
ヘッドアーム１３０の材料としては、屋外使用を考慮して、耐錆性能の高いことを志向するのであれば、ステンレス材料を用いるとよい。一方、形状復元性の高さを志向するのであれば、バネ鋼材料を用いるとよい。
【００２７】
図４は、パッドユニット１０５Ｒの構成を説明する図である。パッドユニット１０５Ｌは、図４と同様の構成であるため、詳細説明を省略する。図４に示すように、パッドスプリング１３２Ｒは、パッドユニット１０５Ｒの前方孔２００Ｒからパッドユニット１０５Ｒに嵌入され、パッドユニット１０５Ｒの内面に沿って配置される。図４に示す二点鎖線は、パッドユニット１０５Ｒに嵌入されていない場合のパッドスプリング１３２Ｒの位置を示す。パッドスプリング１３２Ｒは、パッドユニット１０５Ｒに嵌入されることにより、装着者の頭部方向へと復帰するよう付勢力をもつ。
【００２８】
折り曲げ点１３３Ｒを起点に伸長したヘッドスプリング１３１Ｒは、パッドユニット１０５Ｒの後方孔２１０Ｒを貫通して配置される。装着者の頭部サイズや形状に応じて、ヘッドスプリング１３１Ｒが、後方孔２１０Ｒを貫通する位置が変わる。ヘッドスプリング１３１Ｒの後方孔２１０Ｒを貫通する位置が変わることに応じて、パッドスプリング１３２Ｒが、装着者の頭部方向へと復帰しようとする付勢力が変化する。後方孔２１０Ｒは必須の構成ではない。但し、後方孔２１０Ｒによれば、ヘッドアーム１３０Ｒの可動範囲に制約を持たせることができ、過度に付勢されることを防ぐことができる。
【００２９】
続いて、ヘッドマウント１００を装着したときの、フィット感向上について説明する。図５Ａ、図５Ｂ及び図５Ｃは、ヘッドマウント１００を装着したときの上方俯瞰図である。
【００３０】
図５Ａは、比較的頭部幅が大きい人が、ヘッドマウント１００を装着したときの上方俯瞰図である。比較的頭部幅が大きい人がヘッドマウント１００を装着すると、ヘッドアーム１３０のヘッドスプリング１３１は、その頭部の大きさに応じて円弧形状を拡げて湾曲する。このとき、パッドスプリング１３２が装着者の頭部方向へ復帰しようする付勢力によって、パッドユニット１０５が装着者の頭部側面へと密着する。このとき、パッドユニット１０５は、内側の面積の大凡全体を使って装着者の頭部へと密着する。これにより、押圧力が分散し、装着者への負担を軽減させることができる。
【００３１】
図５Ｂは、比較的頭部幅が小さい人が、ヘッドマウント１００を装着したときの上方俯瞰図である。比較的頭部幅が小さい人がヘッドマウント１００を装着すると、ヘッドアーム１３０のヘッドスプリング１３１は、比較的頭部幅が大きい人と比べて変化量は小さくはなるが、その頭部幅の大きさに応じて円弧形状を拡げて湾曲する。このときにおいても、パッドスプリング１３２が装着者の頭部方向へ復帰しようする付勢力によって、パッドユニット１０５が装着者の頭部側面へと密着する。このときも、パッドユニット１０５は、内側の面積の大凡全体を使って装着者の頭部へと密着する。これにより、押圧力が分散し、装着者への負担を軽減させることができる。
【００３２】
図５Ｃは、仮に、パッドユニット１０５がパッドスプリング１３２を有していない場合を想定したときの、上方俯瞰図である。このとき、パッドスプリング１３２が装着者の頭部方向へ復帰しようする付勢力が存在しないため、パッドユニット１０５は、内側の面積の大凡全体を使ってではなく、ヘッドスプリング１３１の端部の大凡一点により装着者の頭部を締め付けることになる。ヘッドスプリング１３１の端部が当接する頭部の一点に押圧力が集中することになり、装着者への負担が発生することになる。
【００３３】
以上のように、ヘッドマウント１００は、装着者の頭部に対して、ヘッドスプリング１３１による側圧に加えて、パッドスプリング１３２からの側圧を加える。ヘッドスプリング１３１の側圧は、装着者の頭の幅（サイズ）に応じて定まる。一方、パッドスプリング１３２の側圧は、装着者の頭の形状に応じて定まる。これにより、装着者の頭部（幅および形状）に応じて、パッドユニット１０５を追従させることができる。その結果、一点ではなくて、面で押圧を与えるので、装着者への負担を軽減することができる。また、装着者の頭部の幅の分布に対応して、密着性の高いヘッドマウント１００を提供することができる。
【００３４】
なお、上記ではヘッドアームユニット１２５を、ヘッドアーム１３０Ｌ及びヘッドアーム１３０Ｒに２つに分割したが、これに限定されない。すなわち、ヘッドアームユニット１２５を分割しなくてもよい。ヘッドアームユニット１２５を２つに分割しなくても、ヘッドスプリング１３１による側圧に加えて、パッドスプリング１３２からの側圧により、同様にフィット感は得られる。但し、ヘッドアームユニット１２５を２つに分割することにより、人間の頭の幅の分布をより考慮し、より多くの人に利用可能なヘッドマウント１００とすることができる。
【００３５】
〔４．ヘッドアーム１３０のロック機構〕
続いて、ヘッドアーム１３０Ｒのロック機構について説明する。ヘッドアーム１３０Ｒがアジャストユニット１３５に嵌入される長さ（アジャストユニット１３５の内部で固定される位置）は、アジャストユニット１３５に備えられたロック機構により、調整される。図６は、ロック時のアジャストユニット１３５を装着者の後方から見たときの斜視図である。また、図７Ａ及び図７Ｂは、アジャストユニット１３５からアジャストベース１４０を取り外したときに露出するロック機構部品を説明する斜視図である。図７Ａは、外側から見たロック機構部品を説明する斜視図である。図７Ｂは、内側から見たロック機構部品を説明する斜視図である。
【００３６】
図６、図７Ａ及び図７Ｂに示すように、アジャストユニット１３５は、アジャストレバー１６０、アジャストスプリング２３０、アジャストピン２２０を備えている。
【００３７】
アジャストレバー１６０は、カム形状２２１を有するレバーである。アジャストレバー１６０は、樹脂材料により形成される。アジャストレバー１６０に形成されたカム形状２２１の付近には、アジャストピン２２０を貫入するための貫通した開口孔が形成されている。アジャストスプリング２３０は、底面が内側に円弧状に湾曲したコの字形状を有するバネ部材である。アジャストスプリング２３０は、ヘッドアーム１３０と同様に、ステンレス材料から形成される。アジャストスプリング２３０のコの字形状の両端付近には、アジャストピン２２０を貫入させる一対の開口孔が形成されている。アジャストピン２２０は、アジャストレバー１６０の開口孔及び、アジャストスプリング２３０のこの一対の開口孔に貫入される。これにより、アジャストレバー１６０は、アジャストスプリング２３０に対して、アジャストピン２２０を支点として回動することができる。アジャストレバー１６０は、回動することにより、ヘッドアーム１３０Ｒに対して起立した状態（アンロック状態）と、ヘッドアーム１３０Ｒに沿って伏した状態（ロック状態）とを取ることができる。
【００３８】
図８Ａ及び図８Ｂは、アジャストレバー１６０の状態遷移図である。図８Ａは、アンロック時におけるアジャストレバー１６０の状態遷移図である。図８Ｂは、ロック時におけるアジャストレバー１６０の状態遷移図である。
【００３９】
図８Ａに示すように、アンロック時において、アジャストレバー１６０は、ヘッドアーム１３０Ｒに対して起立した状態となる。このとき、アジャストレバー１６０に形成されたカム形状２２１は、ヘッドアーム１３０Ｒに当接しない位置となる。図８Ａに示す状態から、アジャストレバー１６０を傾倒させていくと、やがてアジャストレバー１６０に形成されたカム形状２２１がヘッドアーム１３０Ｒに当接する。アジャストレバー１６０を更に傾倒させていくと、梃子の作用により、カム形状２２１がヘッドアーム１３０Ｒをアジャストスプリング２３０の底面方向へと押圧して、図８Ｂに示すような状態となる。
【００４０】
一方、図８Ｂに示す状態から、アジャストレバー１６０を起立させていくと、カム形状２２１のヘッドアーム１３０Ｒに対するアジャストスプリング２３０の底面方向への押圧力が減衰し、やがて当接しない状態となる。アジャストレバー１６０を更に起立させていくと、図８Ａに示すような状態となる。
【００４１】
アジャストユニット１３５に備えられたロック機構は、ヘッドアーム１３０Ｒをアジャストスプリング２３０の底面方向へと押圧し、アジャストスプリング２３０のコの字形状でヘッドアーム１３０Ｒの互いに対向する一対の板厚端面を強く挟みこむようにしている。
【００４２】
図９Ａ及び図９Ｂは、ヘッドアーム１３０Ｒがアジャストスプリング２３０の底面方向へと押圧されたときのアジャストスプリング２３０の状態遷移図である。図９Ａは、アンロック時におけるアジャストスプリング２３０の状態遷移図である。一方、図９Ｂは、ロック時におけるアジャストスプリング２３０の状態遷移図である。図９Ａ及び図９Ｂは、アジャストスプリング２３０を垂直な方向に切断したときの断面を示している。
【００４３】
図９Ａ及び図９Ｂに示すように、アジャストスプリング２３０は、内側に円弧状に湾曲した底面と、底面に連続する側面とを有している。アジャストスプリング２３０の側面は、（１）位置Ｐ１から位置Ｐ２、（２）位置Ｐ２から位置Ｐ３、（３）位置Ｐ３から位置Ｐ４で、形状が異なる。位置Ｐ１から位置Ｐ２において、アジャストスプリング２３０の側面は、コの字の空いた方向に行くに従って幅が広がるテーパ形状を有している。この形状は必須ではないが、この形状を取ることで、ヘッドマウント１００の製造工程にて、アジャストスプリング２３０へのアジャストレバー１６０の取り付けが容易になる。次に、位置Ｐ２から位置Ｐ３において、アジャストスプリング２３０の側面は、垂直方向に直進した形状を有している。これにより、アジャストピン２２０のアジャストスプリング２３０への取り付け工程が容易となる。また、位置Ｐ２から位置Ｐ３のおけるアジャストスプリング２３０の幅は、ヘッドアーム１３０Ｒの幅に対して少し余裕があるように形成されている。これにより、ヘッドアーム１３０Ｒは、位置Ｐ２から位置Ｐ３の間に位置するときにおいては、アジャストスプリング２３０内で自由度をもって動くことができる。次に、位置Ｐ３から位置Ｐ４においては、アジャストスプリング２３０の側面は、アジャストスプリング２３０の底面に近づくにつれて幅が狭まるテーパ形状を有している。位置Ｐ３から位置Ｐ４におけるアジャストスプリング２３０の幅は、底面に近づくにつれて、ヘッドアーム１３０Ｒの幅よりも狭くなるように形成されている。なお、アジャストスプリング２３０の側面は、全体が底面に近づくにつれて幅の狭くなるテーパ形状としてもよいが、製造工程においてアジャストピン２２０の取り付け容易のため、アジャストピン２２０の軸方向に対して垂直にすることが望ましい。
【００４４】
続いて、アンロック時とロック時との状態遷移について説明する。図９Ａに示すように、アンロック時においては、ヘッドアーム１３０Ｒは、アジャストレバー１６０によりアジャストスプリング２３０の底面方向へと押圧されていないため、ヘッドアーム１３０Ｒは、アジャストスプリング２３０の位置Ｐ２から位置Ｐ３の間の対応する位置にある。このとき、ヘッドアーム１３０Ｒの幅は、アジャストスプリング２３０の幅に対して余裕がある。そのため、装着者は、ヘッドアーム１３０Ｒがアジャストスプリング２３０に嵌入される長さ（アジャストスプリング２３０の内部で固定される位置）を調整することができる。
【００４５】
一方、図９Ｂに示すように、ロック時においては、アジャストレバー１６０の押圧によりヘッドアーム１３０Ｒがアジャストスプリング２３０内で押し下げられる。このとき、ヘッドアーム１３０Ｒの板厚端面部は、アジャストスプリング２３０の側面に形成されたテーパ形状に当接する。このとき、ヘッドアーム１３０Ｒがアジャストスプリング内で押し下げられたのに応じて、アジャストスプリング２３０の底面の湾曲形状が弾性力を作用させる。この弾性力によりアジャストスプリング２３０の側面の位置Ｐ３から位置Ｐ４におけるテーパ形状の幅が広がる。テーパ形状の幅が広がるのに応じて、アジャストスプリング２３０の側面からヘッドアーム１３０Ｒの板厚端面部への付勢力が強まっていく。この付勢力により、ヘッドアーム１３０Ｒを押し上げる方向に力が発生するが、アジャストレバー１６０がヘッドアーム１３０Ｒの直上に固定されて存在しているために、ヘッドアーム１３０Ｒが上方に逃げることはできず、ヘッドアーム１３０Ｒの板厚端面部を固定することができる。
【００４６】
アジャストレバー１６０を再びアンロックにすると、アジャストレバー１６０が存在していた空間が空くため、ヘッドアーム１３０Ｒを押し上げる方向に発生している力が解放される。これにより、ヘッドアーム１３０Ｒがアジャストスプリング２３０内の上方に逃げることができるようになり、ヘッドアーム１３０Ｒの板厚端面部の固定を解除することができる。
【００４７】
ヘッドアーム１３０Ｒは、互いに対向する一対の板厚表面であって、比較的面積の大きい板厚表面と、互いに対向する一対の板厚端面であって、比較的面積の小さい板厚端面とを有する。このとき、同じ付勢負荷をかけたときに、比較的面積の小さい板厚端面に対して掛かる圧力は、比較的面積の大きい板厚表面に対して掛かる圧力よりも大きくなる。従って、ヘッドアーム１３０Ｒの板厚端面にて固定することにより、より小さな付勢負荷であっても、より固定性能高くヘッドアーム１３０Ｒを固定することが可能となる。
【００４８】
以上説明してきたように、実施の形態１にかかるヘッドマウント１００によれば、頭部へのフィット感を高めながらも、装着者の頭部への負荷を軽減させることができる。また、軽量でシンプルな構成ながらも頭部へのフィット感を持続させることができる。よって、より装着性能の高いヘッドマウント１００を提供できる。
【００４９】
〔５．他の実施例〕
以上のように、本出願において開示する技術の例示として、実施の形態１を説明した。しかしながら、本開示における技術は、これに限定されず、適宜、変更、置き換え、付加、省略などを行った実施の形態にも適用可能である。
【００５０】
例えば、上記実施の形態１では、図３に示したように、ヘッドアーム１３０Ｒにおいて、ヘッドスプリング１３１Ｒと、パッドスプリング１３２Ｒとを一体物であるとしたが、これに限定されない。すなわち、ヘッドスプリング１３１Ｒと、パッドスプリング１３２Ｒとは、別体であってもよい。ヘッドアーム１３０Ｌについても同様である。図１０は、他の実施例にかかるヘッドアーム３００の斜視図である。図１０の例は、他の実施例にかかるヘッドスプリング３０１の端部と、他の実施例にかかるパッドスプリング３０２の端部とを他の実施例にかかるカシメ３０３により一体的に構成させた例である。他の実施例にかかるヘッドスプリング３０１の端部と他の実施例にかかるパッドスプリング３０２の端部とを連結する方法としては、カシメによるではなく、係合形状が係り合うことによる組み付けであってもよい。
【００５１】
また、上記の実施の形態１では、ヘッドアーム１３０は円弧状であるとしたが、これに限定されない。ヘッドアーム１３０の少なくともアジャストユニット１３５に内包される部位については、円弧状ではなく、直線状に構成してもよい。これにより、ヘッドアーム１３０の長さを調整したときに、装着者の頭の幅（サイズ）によらず、装着者の好みにより側圧を調整する自由度を与えることができる。
【００５２】
また、実施の形態１では、カメラ本体を取り付けることができるヘッドマウントについて説明したが、ヘッドホンに適用することも可能である。ヘッドホンに適用する場合、例えば、パッドユニット１０５Ｌの一部が下方に伸長する形状を有し、その先端に左耳を覆うハウジングを設け，パッドユニット１０５Ｒの一部が下方に伸長する形状を有し、その先端に右耳を覆うハウジングを設けた構成となっている。各ハウジングの内側には音を耳に伝達するためのスピーカを備えている。
【００５３】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施の形態は、本開示における技術を例示するためのものであるから、請求の範囲またはその均等の範囲において種々の変更、置き換え、付加、省略などを行うことができる。
【００５５】
〔６．実施の形態等のまとめ〕
以上のように構成された実施の形態等は以下の本開示の要旨を有する。なお、括弧内は対応する部材又は素子の符号を示す。
【００５６】
本開示の第１の態様に係る装着装置は、
円弧形状を有する第１のバネ部材（１３１Ｒ，１３１Ｌ，３０１）と、
前記第１のバネ部材（１３１Ｒ，１３１Ｌ，３０１）と一体に或いは別体に連結された第２のバネ部材（１３２Ｒ，１３２Ｌ，３０２）であって、前記第１のバネ部材（１３１Ｒ，１３１Ｌ，３０１）に対して所定の角度により、前記第１のバネ部材（１３１Ｒ，１３１Ｌ，３０１）の内側に配置される第２のバネ部材（１３２Ｒ，１３２Ｌ，３０２）と、
前記第２のバネ部材（１３２Ｒ，１３２Ｌ，３０２）を嵌入させて保持する保持部材（１０５Ｒ，１０５Ｌ）であって、装着者に当接する保持部材（１０５Ｒ，１０５Ｌ）と、を備えた。
【００５７】
本開示の第２の態様に係る装着装置は、第１の態様に係る装着装置において、前記保持部材（１０５Ｒ，１０５Ｌ）は、一端付近にて、前記第２のバネ部材（１３２Ｒ，１３２Ｌ，３０２）を嵌入させ、他端付近にて前記第１のバネ部材（１０５Ｒ，１０５Ｌ）を貫通させる開口部を有する。
【００５８】
本開示の第３の態様に係る装着装置は、第１又は第２の態様に係る装着装置において、前記第２のバネ部材（１３２Ｒ，１３２Ｌ，３０２）及び前記保持部材（１０５Ｒ，１０５Ｌ）は、装着者の左右一対の部材である。
【００５９】
本開示の第４の態様に係る装着装置は、第３の態様に係る装着装置において、前記左右一対の部材である一方の前記保持部材（１０５Ｒ，１０５Ｌ）には、電子機器を取り付けるための取り付け部（１８０）を有する。
【００６０】
本開示の第５の態様に係る装着装置は、第１から４のいずれかの態様に係る装着装置において、前記第１のバネ部材（１３１Ｒ，１３１Ｌ）は、少なくとも第１の要素部材（１３１Ｒ）と第２の要素部材（１３１Ｌ）とから構成され、前記第１の要素部材（１３１Ｒ）と前記第２の要素部材（１３１Ｌ）の少なくとも一方を嵌入する長さを調整する調整機構（１３５）を更に備えた。
【００６１】
本開示の第６の態様に係る装着装置は、第５の態様に係る装着装置において、前記調整機構（１３５）は、押圧部材（１６０）と、底面に近づくほど幅が狭い第３のバネ部材（２３０）とを有し、
前記押圧部材（１６０）は、前記少なくとも第１の要素部材（１３１Ｒ，１３０Ｒ）と第２の要素部材（１３１Ｌ，１３０Ｌ）の少なくとも一方を、前記第３のバネ部材（２３０）の前記底面方向へと押圧し、前記第３のバネ部材（２３０）は、当該押圧に応じて、当該押圧した第１の要素部材（１３１Ｒ，１３０Ｒ）と第２の要素部材（１３１Ｌ，１３０Ｌ）の少なくとも一方の要素部材の、互いに対向する一対の板厚端面を挟み込む。
【００６２】
本開示の第７の態様に係る装着装置は、
第１のバネ部材（１３０Ｒ）と、
前記第１のバネ部材を嵌入させる長さを調整する調整機構（１３５）と、を備え、
前記調整機構（１３５）は、押圧部材（１６０）と、底面に近づくほど幅が狭い第２のバネ部材（２３０）とを有し、
前記押圧部材（１６０）は、前記第１のバネ部材（１３０Ｒ）を、前記第２のバネ部材（２３０）の前記底面方向へと押圧し、前記第２のバネ部材（２３０）は、当該押圧に応じて、前記第１のバネ部材（１３０Ｒ）の、互いに対向する一対の板厚端面を挟み込む。
【産業上の利用可能性】
【００６３】
本開示は、頭部に装着するヘッドマウント１００への適用に限定されず、ヘッドホン等、他の頭部装着機器、および、腕や手首など、身体の他の部位に装着する装着装置にも適用できる。
【符号の説明】
【００６４】
１００  ヘッドマウント
１０５  パッドユニット（１０５Ｌ、１０５Ｒ）
１１０  パッドベース（１１０Ｌ、１１０Ｒ）
１２０  パッドカバー（１２０Ｌ、１２０Ｒ）
１２５  ヘッドアームユニット
１３０  ヘッドアーム（１３０Ｌ、１３０Ｒ）
１３１  ヘッドスプリング（１３１Ｌ、１３１Ｒ）
１３２  パッドスプリング（１３２Ｌ、１３２Ｒ）
１３３  折り曲げ点（１３３Ｌ、１３３Ｒ）
１３５  アジャストユニット
１４０  アジャストベース
１５０  アジャストカバー
１６０  アジャストレバー
１７０  カメラ本体
１８０  カメラホルダー
１９０  ナット
１９５  ボール
２００  前方孔（２００Ｌ、２００Ｒ）
２１０  後方孔（２１０Ｌ、２１０Ｒ）
２２０  アジャストピン
２３０  アジャストスプリング
３００  他の実施例にかかるヘッドアーム
３０１  他の実施例にかかるヘッドスプリング
３０２  他の実施例にかかるパッドスプリング
３０３  他の実施例にかかるカシメ
【手続補正２】
【補正対象書類名】特許請求の範囲
【補正対象項目名】全文
【補正方法】変更
【補正の内容】
【特許請求の範囲】
【請求項１】
円弧形状を有する第１のバネ部材と、
前記第１のバネ部材と一体に或いは別体に連結された第２のバネ部材であって、前記第１のバネ部材に対して所定の角度により、前記第１のバネ部材の内側に配置される第２のバネ部材と、
前記第２のバネ部材を嵌入させて保持する保持部材であって、装着者に当接する保持部材と、を備えた装着装置。
【請求項２】
前記保持部材は、一端付近にて、前記第２のバネ部材を嵌入させ、他端付近にて前記第１のバネ部材を貫通させる開口部を有する、
請求項１に記載の装着装置。
【請求項３】
前記第２のバネ部材及び前記保持部材は、装着者の左右一対の部材である、請求項１又は２に記載の装着装置。
【請求項４】
前記左右一対の部材である一方の前記保持部材には、電子機器を取り付けるための取り付け部を有する、請求項３に記載の装着装置。
【請求項５】
前記第１のバネ部材は、少なくとも第１の要素部材と第２の要素部材とから構成され、
前記第１の要素部材と前記第２の要素部材の少なくとも一方を嵌入する長さを調整する調整機構を更に備えた、請求項１から４のいずれかに記載の装着装置。
【請求項６】
前記調整機構は、押圧部材と、底面に近づくほど幅が狭い第３のバネ部材とを有し、
前記押圧部材は、前記少なくとも第１の要素部材と第２の要素部材の少なくとも一方を、前記第３のバネ部材の前記底面方向へと押圧し、前記第３のバネ部材は、当該押圧に応じて、当該押圧した第１の要素部材と第２の要素部材の少なくとも一方の要素部材の、互いに対向する一対の板厚端面を挟み込む、請求項５に記載の装着装置。
【請求項７】
第１のバネ部材と、
前記第１のバネ部材を嵌入させる長さを調整する調整機構と、を備え、
前記調整機構は、押圧部材と、底面に近づくほど幅が狭い第２のバネ部材とを有し、
前記押圧部材は、前記第１のバネ部材を、前記第２のバネ部材の前記底面方向へと押圧し、前記第２のバネ部材は、当該押圧に応じて、前記第１のバネ部材の、互いに対向する一対の板厚端面を挟み込む、装着装置。
【手続補正３】
【補正対象書類名】図面
【補正対象項目名】全図
【補正方法】変更
【補正の内容】
【図１Ａ】
2015173996.tif 000019
【図１Ｂ】
2015173996.tif 000020
【図２】
2015173996.tif 000021
【図３】
2015173996.tif 000022
【図４】
2015173996.tif 000023
【図５Ａ】
2015173996.tif 000024
【図５Ｂ】
2015173996.tif 000025
【図５Ｃ】
2015173996.tif 000026
【図６】
2015173996.tif 000027
【図７Ａ】
2015173996.tif 000028
【図７Ｂ】
2015173996.tif 000029
【図８Ａ】
2015173996.tif 000030
【図８Ｂ】
2015173996.tif 000031
【図９Ａ】
2015173996.tif 000032
【図９Ｂ】
2015173996.tif 000033
【図１０】
2015173996.tif 000034
【国際調査報告】
2015173996.tif 000035
2015173996.tif 000036
2015173996.tif 000037
2015173996.tif 000038